(57)【要約】【課題】医療廃棄物による感染を防止し、異音が発生せず、かつ耐久性が優れている容器保持具および処理装置構造体を提供する。【解決手段】医療・研究機関において発生した感染性の廃棄物を収容するごみ箱として機能する蓋と容器からなる使い捨ての処理容器を保持する容器保持具であって、当該容器保持具が、該容器が着脱自在に載置される水平方向部材と、当該容器がごみ箱として使用されるとき、前記蓋を支持する蓋支持腕と、当該蓋支持腕が旋回自在に支持され、かつ前記水平方向部材と連結された垂直方向部材と、前記水平方向部材の下部に旋回自在に支持された水平桿と、前記蓋支持腕に一端が揺動可能に連結され、前記水平桿の一部に他端が揺動可能に連結された垂直桿と、前記蓋支持腕を旋回させる回転トルクを、前記水平桿および前記垂直桿を介して前記蓋支持腕に伝達するトルク発生装置とからなり、当該容器がごみ箱として使用されるとき、当該容器が、前記蓋支持腕によって支持された蓋によって開閉自在に閉鎖されてなることを特徴とする容器保持具。【選択図】図１
0003145885.tif 000002
【実用新案登録請求の範囲】
【請求項１】
医療・研究機関において発生した感染性の廃棄物を収容するごみ箱として機能する蓋と容器からなる使い捨ての処理容器を保持する容器保持具であって、
当該容器保持具が、
該容器が着脱自在に載置される水平方向部材と、
当該容器がごみ箱として使用されるとき、前記蓋を支持する蓋支持腕と、
当該蓋支持腕が旋回自在に支持され、かつ前記水平方向部材と連結された垂直方向部材と、
前記水平方向部材の下部に旋回自在に支持された水平桿と、
前記蓋支持腕に一端が揺動可能に連結され、前記水平桿の一部に他端が揺動可能に連結された垂直桿と、
前記蓋支持腕を旋回させる回転トルクを、前記水平桿および前記垂直桿を介して前記蓋支持腕に伝達するトルク発生装置とからなり、
当該容器がごみ箱として使用されるとき、当該容器が、前記蓋支持腕によって支持された蓋によって開閉自在に閉鎖されてなる
ことを特徴とする容器保持具。
【請求項２】
前記トルク発生装置が、前記水平桿を介して前記垂直桿を常時上向きに付勢するぜんまいばねであり、
当該上向きの付勢力が、前記蓋の自重に合わせて決定される
ことを特徴とする請求項１記載の容器保持具。
【請求項３】
前記水平方向部材と連結される前記垂直方向部材の下端には、前記容器保持具の前進運動を防止するための突出桿が備えられてなることを特徴とする請求項１または２記載の容器保持具。
【請求項４】
医療・研究機関において発生した感染性の廃棄物を収容する処理容器構造体であって、
使い捨ての容器と、当該容器の開口部を閉塞する蓋と、該容器および蓋を着脱自在に保持する容器保持具とからなる処理容器構造体であって、
当該容器保持具が、
該容器が着脱自在に載置される水平方向部材と、
当該容器がごみ箱として使用されるとき、前記蓋を支持する蓋支持腕と、
当該蓋支持腕が旋回自在に支持され、かつ前記水平方向部材と連結された垂直方向部材と、
前記水平方向部材の下部に旋回自在に支持された水平桿と、
前記蓋支持腕に一端が揺動可能に連結され、前記水平桿の一部に他端が揺動可能に連結された垂直桿と、
前記蓋支持腕を旋回させる回転トルクを、前記水平桿および前記垂直桿を介して前記蓋支持腕に伝達するトルク発生装置とからなり、
当該容器がごみ箱として使用されるとき、当該容器が、前記蓋支持腕によって支持された蓋によって開閉自在に閉鎖されてなり、
前記蓋が、前記容器の開口部に着脱自在に閉塞される第１閉塞関係と、
前記容器の開口部に着脱不能に閉塞される第２閉塞関係とで閉塞される
ことを特徴とする処理容器構造体。
【請求項５】
前記トルク発生装置が、前記水平桿を介して前記垂直桿を常時上向きに付勢するぜんまいばねであり、
当該上向きの付勢力が、前記蓋の自重に合わせて決定される
ことを特徴とする請求項４記載の処理容器構造体。
【請求項６】
前記水平方向部材と連結される前記垂直方向部材の下端には、前記容器保持具の前進運動を防止するための突出桿が備えられてなることを特徴とする請求項５記載の処理容器構造体。
【考案の詳細な説明】
【技術分野】
【０００１】
本考案は医療・研究機関において使用される容器保持具および処理容器構造体に関する。さらに詳しくは、感染の媒体となるキャリアーを発生させる主要原因であるエアゾルの発生を軽減する容器および該容器の蓋を着脱自在に保持する容器保持具、および処理容器と容器保持具を備えた処理容器構造体に関し、病院などの医療・研究機関に設置するための容器保持具、および処理容器構造体に関する。
【背景技術】
【０００２】
従来、医療・研究機関内において院内感染が問題視されていることから、特別管理産業廃棄物からなる医療廃棄物は専門業者に委託して焼却されている。
【考案の開示】
【考案が解決しようとする課題】
【０００３】
しかしながら、医療廃棄物を専門業者に委託する場合においても、一時的に医療廃棄物を保管しておく必要がある。医療廃棄物をゴミ袋に入れると、袋が破れて外部に血液などが付着し、感染する恐れは拭えない。そこで、容器自体を取り外して焼却することが考えられている。しかし、使用時に蓋が付いてない容器では空気感染における医療・研究機関内感染の危険性は拭えず、逆に、蓋が付いていると、両手が塞がっている場合などに使用することができないので不便である。
【０００４】
また、特別管理産業廃棄物は他の産業廃棄物とは異なり、特に危険性の高い産業廃棄物である。とりわけ医療・研究機関より排出される感染性廃棄物は、一般的に外来患者も使用する病院内に専用の容器にて収容されている場合が多く、一般に流通する他のホルダーでは蓋の開閉時の衝撃が強く、噴出現象（いわゆる「エアゾル」）が発生し、結果、空気中に噴出された有害微小生物およびウイルスの類が医療従事者および患者に付着し、他の場所に運ばれるといういわゆるキャリアー現象が発生する。
【０００５】
さらに、前記他のホルダーは、開閉時の衝撃が強いため、開閉時に異音が発生し、入院患者に精神的ストレスがかかってしまう。
【０００６】
本考案は、叙上の事情に鑑み、医療・研究機関におけるキャリアー発生の防止に主眼点をおき、医療廃棄物による感染を防止し、腐臭や異臭を防止できるとともに、異音が発生せず、かつ耐久性が優れている容器保持具および処理容器構造体を提供することを目的とする。
【課題を解決するための手段】
【０００７】
本考案の容器保持具は、医療・研究機関において発生した感染性の廃棄物を収容するごみ箱として機能する蓋と容器からなる使い捨ての処理容器を保持する容器保持具であって、当該容器保持具が、該容器が着脱自在に載置される水平方向部材と、当該容器がごみ箱として使用されるとき、前記蓋を支持する蓋支持腕と、当該蓋支持腕が旋回自在に支持され、かつ前記水平方向部材と連結された垂直方向部材と、前記水平方向部材の下部に旋回自在に支持された水平桿と、前記蓋支持腕に一端が揺動可能に連結され、前記水平桿の一部に他端が揺動可能に連結された垂直桿と、前記蓋支持腕を旋回させる回転トルクを、前記水平桿および前記垂直桿を介して前記蓋支持腕に伝達するトルク発生装置とからなり、当該容器がごみ箱として使用されるとき、当該容器が、前記蓋支持腕によって支持された蓋によって開閉自在に閉鎖されてなることを特徴とする。
【０００８】
前記トルク発生装置が、前記水平桿を介して前記垂直桿を常時上向きに付勢するぜんまいばねであり、当該上向きの付勢力が、前記蓋の自重に合わせて決定されることが好ましい。
【０００９】
前記水平方向部材と連結される前記垂直方向部材の下端には、前記容器保持具の前進運動を防止するための突出桿が備えられてなることが好ましい。
【００１０】
本考案の処理容器構造体は、医療・研究機関において発生した感染性の廃棄物を収容する処理容器構造体であって、使い捨ての容器と、当該容器の開口部を閉塞する蓋と、該容器および蓋を着脱自在に保持する容器保持具とからなる処理容器構造体であって、当該容器保持具が、該容器が着脱自在に載置される水平方向部材と、当該容器がごみ箱として使用されるとき、前記蓋を支持する蓋支持腕と、当該蓋支持腕が旋回自在に支持され、かつ前記水平方向部材と連結された垂直方向部材と、前記水平方向部材の下部に旋回自在に支持された水平桿と、前記蓋支持腕に一端が揺動可能に連結され、前記水平桿の一部に他端が揺動可能に連結された垂直桿と、前記蓋支持腕を旋回させる回転トルクを、前記水平桿および前記垂直桿を介して前記蓋支持腕に伝達するトルク発生装置とからなり、当該容器がごみ箱として使用されるとき、当該容器が、前記蓋支持腕によって支持された蓋によって開閉自在に閉鎖されてなり、前記蓋が、前記容器の開口部に着脱自在に閉塞される第１閉塞関係と、前記容器の開口部に着脱不能に閉塞される第２閉塞関係とで閉塞されることを特徴とする。
【００１１】
前記トルク発生装置が、前記トルク発生装置が、前記水平桿を介して前記垂直桿を常時上向きに付勢するぜんまいばねであり、当該上向きの付勢力が、前記蓋の自重に合わせて決定されることが好ましい。
【００１２】
前記水平方向部材と連結される前記垂直方向部材の下端には、前記容器保持具の前進運動を防止するための突出桿が備えられてなることが好ましい。
【考案の効果】
【００１３】
本考案によれば、蓋の開閉時に発生する異音がなく、病室内に設置して使用する場合に患者に蓋の開閉による異音で不快感を与えず、また足踏式で両手を使用する事が可能であるため、看護士が安全かつ完全な介護ができる状況を実現する容器保持具および処理容器構造体を提供することができる。また、本考案の容器保持具が、構成「容器が着脱自在に載置される水平方向部材」と、「容器の開口部を閉塞する蓋が支持される蓋支持腕」とを有することより、蓋および容器が容器保持具に対して着脱自在に保持されるので、容器内に内容物（感染性廃棄物）が溜まり次第蓋で容器を密閉し、新しい蓋および容器と容易に交換できるので非常に衛生的である。
【００１４】
以上より、本考案の容器保持具および処理容器構造体の構成により、キャリアー発生の主要原因であるエアゾルの発生を軽減できるため、感染性廃棄物によるキャリアーの発生を高確率で防止することができる。
【００１５】
また、本考案によれば、回転トルクを伝達する機構にピンなどの留め具を必要としないので、耐久性を向上させることができる。
【考案を実施するための最良の形態】
【００１６】
以下、添付図面に基づいて本考案の容器保持具および処理容器構造体について説明する。
【００１７】
図１は本考案にかかる処理容器構造体の斜視図、図２は本考案にかかる容器保持具の側面図、図３は本考案にかかる容器保持具の正面図、図４（ａ）はゴミ箱として使用される際の容器と蓋の閉塞関係を示す端面図、図４（ｂ）は使い捨てられる際の容器と蓋の閉塞関係を示す端面図、図５（ａ）は本考案にかかる水平桿と垂直桿の連結前の状態を示す側面図、図５（ｂ）は本考案にかかる水平桿と垂直桿の連結前の状態を示す上断面図、図６（ａ）は本考案にかかる水平桿と垂直桿の連結後の状態を示す側面図、図６（ｂ）は本考案にかかる水平桿と垂直桿の連結後の状態を示す上断面図、図７ａは本考案にかかる容器保持具の蓋支持腕が閉塞された状態を示す側面図、図７ｂは本考案にかかる容器保持具の蓋支持腕が開放された状態を示す側面図である。
【００１８】
実施の形態
図１に示すように、実施の形態における処理容器構造体１は、容器２と、該容器２の開口部を閉塞する蓋３と、容器保持具４とからなる。
【００１９】
本実施の形態では、容器２は略直方体で形成されているが、これに限定されるものではなく、前記容器保持具４に着脱自在に載置され得る形状であればよい。
【００２０】
図１〜３に示すように、実施の形態における容器保持具４は、容器２が着脱自在に載置される水平方向部材５と、当該容器２の開口部を閉塞する蓋３が支持された蓋支持腕６が旋回自在に支持された垂直方向部材７とから構成されている。
【００２１】
前記水平方向部材５は、容器２を載置するための載置部５１と、該容器２の横ずれを制止するためのサイドポケット５２と、容器保持具４全体を床面に対して支持するための脚部５３と、該容器２の前後のずれを制止するための前後ストッパー５４と、該載置部５１の下部に設けられた軸受け８と、軸受け８を介して水平方向部材５の下部に旋回自在に支持された水平桿９とからなる。当該脚部５３は、容器保持具４全体が床面に対して移動するのを防止するために脚部５３の先端にゴム製の脚部カバー５５を設けているが、本考案はこれに限定されるものではなく、樹脂製の脚部カバーを用いてもよく、また脚部５３の先端に微小な凹凸を設けて、床面との摩擦により前記容器保持具４の移動防止を図ってもよい。
【００２２】
前記水平桿９は、第１アーム９１と、第２アーム９２とからなり、前記水平桿９の第１アーム９１側の端部にペダル１０が設けられ、当該ペダル１０が、当該載置部５１から水平方向外側に突出するように設けられる。前記軸受け８および第２アーム９２は、ぜんまいばね１１を介して連結され、前記水平桿９の第２アーム９２側の端部は、ぜんまいばね１１によって常に上向きに付勢される。
【００２３】
本実施の形態においては、ぜんまいばね１１がトルク発生装置として作用しており、前記ペダル１０を上部から押圧することでぜんまいばね１１を介して回転トルクを発生させるが、トルク発生装置はぜんまいばねに限定されるものではなく、回転トルクを発生させるために、自動制御のモーターなどを用いて回転トルクを発生させてもよい。
【００２４】
前記蓋支持腕６は、蓋３を支持する支持部６１と、前記垂直方向部材７に対して旋回自在に支持する旋回軸６２とからなる。本実施の形態では、支持部６１は、蓋３を長手方向両端部で支持しているが、本考案はこれに限定されるものではなく、短手方向に支持部を設けてもよく、また蓋３が蓋支持腕６に、嵌合するように、蓋３および蓋支持腕６それぞれに互いに嵌合可能な嵌合部を形成してもよい。
【００２５】
前記垂直方向部材７は、前記水平方向部材５と蓋支持腕６とを連結する垂直軸部７１と、前記第２アーム９２と前記旋回軸６２を連結する垂直桿７２と、前記容器保持具４（または処理容器構造体１）を持ち運ぶための把手７３とからなる。
【００２６】
また、前記水平方向部材５と連結される当該垂直方向部材７の下端部には、容器保持具４の前進移動を抑制するための突出桿１２が設けられ、前記垂直方向部材７の上端部にはトングなどが引っ掛けられるフック１３が設けられる。
【００２７】
次に、容器２と蓋３との閉塞関係について図を用いて説明する。
【００２８】
図４（ａ）に示されるように、蓋支持腕６に蓋３が支持されている場合には、容器２は蓋３により、開閉自在に密閉されている（第１閉塞関係）。
【００２９】
これに対して、図４（ｂ）に示されるように、蓋３に形成された溝３１に容器２に形成された土手２１を圧入することにより、溝３１内に塗布されている接着剤３２に土手２１が固着され、容器２と蓋３とが着脱不能に密封される（第２閉塞関係）。圧入して嵌合される形態にするため、溝３１の一側面にくさび型の係止部３３を設けている。これにより、単に蓋３を開閉する動作では、土手２１が係止部３３により係止されるので、第１閉塞関係での閉塞が可能になる。
【００３０】
なお、図１に示されるように、蓋３に設けられた嵌入固定部３４が、容器２に設けられた嵌入孔２２に嵌入されることにより、より強固に容器２と蓋３とが密封される。ここで、前記嵌入固定部３４は、嵌入前は嵌入可能であり、嵌入後は着脱不能であるように構成するためにくさび型を呈しているが、本考案はこれに限定されるものではなく、着脱不能に容器２と蓋３とを閉塞できる構造であればよい。
【００３１】
図２に示されるように、前記ペダル１０は水平軸に対して若干角度を有して設けられているため、押圧する際に斜め方向に力が加えられる。したがって、処理容器構造体１の蓋３を開閉することにより、処理容器構造体１全体が、突設されたペダル１０に対向する方向に移動される。ここで、前記垂直方向部材７は、水平方向の強度は弱く、壁面などに衝突すると破損する恐れがある。そこで、壁面や柱などに前記垂直方向部材７の代わりに衝突する突出桿１２が接触することで、ペダル１０を踏み込んだ場合に処理容器構造体１（容器保持具４）が前進して、前記垂直方向部材７が変形してしまうのを防止することができる。
【００３２】
次に、本実施の形態の第２アーム９２と垂直桿７２との連結方法について説明する。図５（ｂ）および図６（ｂ）に示すように、第２アーム９２には、第２アーム９２の長手方向に沿って長径が形成された楕円孔９３が設けられており、前記垂直桿７２の先端部７４は、長径が、前記楕円孔９３の長手方向よりも短く、短手方向よりも長く形成されている楕円形を呈している。
【００３３】
図５（ａ）、（ｂ）に示すように、当該先端部７４の長径と当該楕円孔９３の長径が同軸上にある場合、垂直桿７２は水平桿９の楕円穴９３に挿入される。当該先端部７４を当該楕円孔９３に挿入した後、前記垂直桿７２を所定の角度（約６０〜１２０度）だけ回転させると、図６（ａ）、（ｂ）に示すように、前記先端部７４の長径が、楕円孔９３の長径の軸上からずれ、短径の軸上に近接する。当該楕円孔９３の短径は、当該先端部７４の長径よりも短いため、挿入された状態を解除できなくなる。したがって、前記垂直桿７２の先端部７４を前記第２アーム９２の楕円孔９３に挿入した後、所定の角度だけ回転してやると、垂直桿７２とが解除不可能に連結される。
【００３４】
次に、図７（ａ）、（ｂ）を参照して本実施の形態における蓋３の開閉動作を説明する。図７（ａ）に示されるように、蓋３が蓋支持腕６に支持されていると、蓋３の自重により蓋支持腕６は閉鎖状態で維持される。図７（ａ）および図７（ｂ）を参照すると、蓋３を開放する動作においては、ペダル１０を押圧すると、第１アーム９１、第２アーム９２、垂直桿７２、および蓋支持腕６の順に回転トルクが伝達され、蓋３を支持した蓋支持腕６が旋回軸６２を中心に旋回する。また、蓋３が閉鎖する際の動作においては、前記ぜんまいばね１１により、前記第２アーム９２の垂直桿７２と連結する端部方向が上向きに付勢されるので、蓋３の自重により閉鎖する勢いが当該ぜんまいばね１１により弱められ、ゆっくりと蓋３を支持した蓋支持腕６が閉鎖され、閉鎖時に発生する異音が小さくなる。
【図面の簡単な説明】
【００３５】
【図１】本考案にかかる処理容器構造体の斜視図である。
【図２】本考案にかかる容器保持具の側面図である。
【図３】本考案にかかる容器保持具の正面図である。
【図４】（ａ）はゴミ箱として使用される際の容器と蓋の閉塞関係を示す端面図、（ｂ）は使い捨てられる際の容器と蓋の閉塞関係を示す端面図である。
【図５】（ａ）は本考案にかかる水平桿と垂直桿の連結前の状態を示す側面図、（ｂ）は本考案にかかる水平桿と垂直桿の連結前の状態を示す上断面図である。
【図６】（ａ）は本考案にかかる水平桿と垂直桿の連結後の状態を示す側面図、（ｂ）は本考案にかかる水平桿と垂直桿の連結後の状態を示す上断面図である。
【図７ａ】本考案にかかる容器保持具の蓋支持腕が閉塞された状態を示す側面図である。
【図７ｂ】本考案にかかる容器保持具の蓋支持腕が開放された状態を示す側面図である。
【符号の説明】
【００３６】
１  処理容器構造体
２  容器
３  蓋
４  容器保持具
５  水平方向部材
６  蓋支持腕
７  垂直方向部材
８  軸受け
９  水平桿
１０  ペダル
１１  ぜんまいばね
１２  突出桿
１３  フック
２１  土手
２２  嵌入孔
３１  溝
３２  接着剤
３３  係止部
３４  嵌入固定部
５１  載置部
５２  サイドポケット
５３  脚部
５４  前後ストッパー
５５  脚部カバー
６１  支持部
６２  旋回軸
７１  垂直軸部
７２  垂直桿
７３  把手
７４  先端部
９１  第１アーム
９２  第２アーム
９３  楕円孔
【図１】
0003145885.tif 000003
【図２】
0003145885.tif 000004
【図３】
0003145885.tif 000005
【図４】
0003145885.tif 000006
【図５】
0003145885.tif 000007
【図６】
0003145885.tif 000008
【図７ａ】
0003145885.tif 000009
【図７ｂ】
0003145885.tif 000010